【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】 サンプリングノイズを低減するための方法であって、
第１の入力信号を使用して第１の複数の容量を充電する段階、 
前記第１の複数の容量を一緒に直列に接続する段階、そして 
前記第１の複数の容量に蓄積された電荷を、前記第１の複数の容量に直列に接続された積分器に転送する段階、
を具備することを特徴とするサンプリングノイズを低減するための方法。
【請求項２】 前記第１の複数の容量を充電する段階は前記第１の入力信号および基準電圧を前記第１の複数の容量における各々の容量にわたり印加する段階を含み、そして 前記第１の複数の容量に蓄積された電荷を積分器に転送する段階は前記複数の第１の容量を前記積分器の第１の入力と前記基準電圧との間に直列に接続する段階を含む、 請求項１に記載の方法。
【請求項３】 前記第１の複数の容量を充電する段階は基準電圧および前記第１の入力信号を前記第１の複数の容量における第１の容量にわたり印加し、前記第１の入力信号および第２の入力信号を前記第１の複数の容量における第２の容量にわたり印加し、そして前記第２の入力信号および前記基準信号を前記第１の複数の容量における第３の容量にわたり印加する段階を含み、そして 前記第１の複数の容量に蓄積された電荷を積分器に転送する段階は前記第１の複数の容量を前記積分器の第１の入力および第２の入力の間に直列に接続する段階を含む、 請求項１に記載の方法。
【請求項４】 さらに、 前記積分器の第１の出力信号から第１のフィードバック信号を発生する段階、 前記第１のフィードバック信号を使用して第２の複数の容量における容量を選択的に充電する段階、そして 前記第１の複数の容量に蓄積された電荷を積分器に転送する一方で前記第２の複数の容量に蓄積された電荷を前記積分器に転送する段階、 を具備する請求項１に記載の方法。
【請求項５】 回路であって、該回路は、 第１の複数の積分スイッチであって、前記第１の複数の積分スイッチにおける各々の積分スイッチは第１のクロック信号を受けるよう接続された制御電極、第１の電流導通電極、および第２の電流導通電極を有するもの、
前記第１の複数の積分スイッチと直列に接続されて積分スイッチとサンプリング容量の交互の第１の配列を形成する第１の複数のサンプリング容量であって、前記第１の配列における各サンプリング容量は前の積分スイッチの前記第２の電流導通電極に接続された第１の電極、および引き続く積分スイッチの第１の電流導通電極に接続された第２の電極を有し、前記第１の配列における第１の積分スイッチの前記第１の電流導通電極は第１の基
準電圧を受けるよう接続されているもの、
第１の複数のサンプリングスイッチであって、該第１の複数のサンプリングスイッチにおける各々のサンプリングスイッチは第１のクロック信号を受けるよう接続された制御電極、前記第１の配列における対応するサンプリング容量の前記第１の電極に接続された第１の電流導通電極、および第１の入力信号を受けるよう接続された第２の電流導通電極を有するもの、
第２の複数のサンプリングスイッチであって、該第２の複数のサンプリングスイッチにおける各々のサンプリングスイッチは前記第２のクロック信号を受けるよう接続された制御電極、前記第１の配列における対応するサンプリング容量の前記第２の電極に接続された第１の電流導通電極、および第１の基準信号を受けるよう接続された第２の電流導通電極を有するもの、
そして 積分器であって、該積分器は、前記第１の複数のサンプリング容量に直列に接続されるべく、前記第１の配列における最後の積分スイッチの第２の電流導通電極に接続された第１の入力、および第１の出力信号を伝送するよう接続された第１の出力を有するもの、 を具備することを特徴とする回路。
【請求項６】 さらに、 前記積分器の第１の出力に接続された入力、出力、およびデジタル制御信号ポートを有するフィードバック回路、 第２の複数の積分スイッチであって、該第２の複数の積分スイッチにおける各々の積分スイッチは前記第１のクロック信号を受けるよう接続された制御電極、第１の電流導通電極、および第２の電流導通電極を有するもの、 前記第２の複数の積分スイッチと直列に接続されて積分スイッチとフィードバック容量の交互の配列を形成する複数のフィードバック容量であって、前記配列における各々のフィードバック容量は前の積分スイッチの前記第２の電流導通電極に接続された第１の電極、引き続く積分スイッチの前記第１の電流導通電極に接続された第２の電極を有し、前記配列における第１の積分スイッチの前記第１の電流導通電極は前記第１の基準電圧を受けるよう接続されているもの、 第３の複数のサンプリングスイッチであって、該第３の複数のサンプリングスイッチにおける各々のサンプリングスイッチは前記第２のクロック信号を受けるよう接続された制御電極、前記配列における対応するフィードバック容量の前記第１の電極に接続された第１の電流導通電極、および第２の電流導通電極を有するもの、 第４の複数のサンプリングスイッチであって、該第４の複数のサンプリングスイッチにおける各々のサンプリングスイッチは前記第２のクロック信号を受けるよう接続された制御電極、前記配列における対応するフィードバック容量の前記第２の電極に接続された第１の電流導通電極、および前記第１の基準電圧を受けるよう接続された第２の電流導通電極、 複数のシャントスイッチであって、該複数のシャントスイッチにおける各々のシャントスイッチは前記フィードバック回路の前記デジタル制御信号ポートに接続された制御電極、前記第３の複数のサンプリングスイッチにおける対応するサンプリングスイッチの第２の電流導通電極に接続された第１の電流導通電極、および前記第１の基準電圧を受けるよう接続された第２の電流導通電極を有するもの、そして 複数のフィードバックスイッチであって、該複数のフィードバックスイッチにおける各々のフィードバックスイッチは前記フィードバック回路の前記デジタル制御信号ポートに接続された制御電極、対応するシャントスイッチの前記第１の電流導通電極に接続された第１の電流導通電極、および前記フィードバック回路の出力に接続された第２の電流導通電極を有するもの、
を具備する請求項５に記載の回路。
【請求項７】 前記複数のシャントスイッチの制御電極および前記複数のフィードバックスイッチの制御電極はダイナミックローテイションエレメントを介して前記フィードバック回路の前記デジタル制御信号ポートに接続され、前記ダイナミックローテイションエレメントは前記フィードバック回路の前記デジタル制御信号に接続された入力、および前記複数のシャントスイッチの制御電極にかつ前記複数のフィードバックスイッチの制御電極に接続された出力ポートを有する請求項６に記載の回路。
【請求項８】 回路であって、該回路は、 第１の電極および第２の電極を有する第１のサンプリング容量、 第１の電極および第２の電極を有する第２のサンプリング容量、 第１
の電極および第２の電極を有する第３のサンプリング容量、 第１のクロック信号を受けるよう接続された制御電極、前記第１のサンプリング容量の前記第１の電極に接続された第１の電流導通電極、および第２の電流導通電極を有する第１のサンプリングスイッチ、
前記第１のクロック信号を受けるよう接続された制御電極、前記第１のサンプリング容量の前記第２の電極に接続された第１の電流導通電極、および第２の電流導通電極を有する第２のサンプリングスイッチ、 前記第１のクロック信号を受けるよう接続された制御電極、前記第２のサンプリング容量の前記第１の電極に接続された第１の電流導通電極、および第２の電流導通電極、および第２の電流導通電極を有する第３のサンプリングスイッチ、 前記第１のクロック信号を受けるよう接続された制御電極、前記第２のサンプリング容量の前記第２の電極に接続された第１の電流導通電極、および前記第２のサンプリングスイッチの前記第２の電流導通電極に接続された第２の電流導通電極を有する第４のサンプリングスイッチ、 前記第１のクロック信号を受けるよう接続された制御電極、前記第３のサンプリング容量の前記第１の電極に接続された第１の電流導通電極、および前記第３のサンプリングスイッチの前記第２の電流導通電極に接続された第２の電流導通電極を有する第５のサンプリングスイッチ、 前記第１のクロック信号を受けるよう接続された制御電極、前記第３のサンプリング容量の前記第２の電極に接続された第１の電流導通電極、および前記第１のサンプリングスイッチの前記第２の電流導通電極に接続された第２の電流導通電極を有する第６のサンプリングスイッチ、 第２のクロック信号を受けるよう接続された制御電極、第１の電流導通電極、および前記第１のサンプリング容量の前記第１の電極に接続された第２の電流導通電極を有する第１の積分スイッチ、 前記第２のクロック信号を受けるよう接続された制御電極、前記第１のサンプリング容量の前記第２の電極に接続された第１の電流導通電極、および前記第２のサンプリング容量の前記第１の電極に接続された第２の電流導通電極を有する第２の積分スイッチ、 前記第２のクロック信号を受けるよう接続された制御電極、前記第２のサンプリング容量の前記第２の電極に接続された第１の電流導通電極、および前記第３のサンプリング容量の前記第１の電極に接続された第２の電流導通電極を有する第３の積分スイッチ、そして 前記第１の積分スイッチの前記第１の電流導通電極に接続された第１の入力、第１の出力、および第２の出力を有する積分器、 を具備することを特徴とする回路。
【請求項９】 さらに、 前記第２のクロック信号を受けるよう接続された制御電極、前記第３のサンプリング容量の前記第２の電極に接続された第１の電流導通電極、および第２の電流導通電極を有する第４の積分スイッチを具備し、前記積分器はさらに前記第４の積分スイッチの前記第２の電流導通電極に接続された第２の入力を有する請求項８に記載の回路。
【請求項１０】 さらに、 前記積分器の第１の出力に接続された第１の入力、前記積分器の第２の出力に接続された第２の入力、第１の出力、第２の出力、およびデジタル制御信号ポートを有するフィードバック回路、 前記第１のサンプリング容量の前記第１の電極に接続された第１の電極、および第２の電極を有する第１のフィードバック容量、 第１の電極および第２の電極を有する第２のフィードバック容量、 第１の電極および第２の電極を有する第３のフィードバック容量、 前記第１のクロック信号を受けるよう接続された制御電極、前記第１のフィードバック容量の前記第２の電極に接続された第１の電流導通電極、および第２の電流導通電極を有する第７のサンプリングスイッチ、 前記第１のクロック信号を受けるよう接続された制御電極、前記第２のフィードバック容量の前記第１の電極に接続された第１の電流導通電極、および第２の電流導通電極を有する第８のサンプリングスイッチ、 前記第１のクロック信号を受けるよう接続された制御電極、前記第２のフィードバック容量の前記第２の電極に接続された第１の電流導通電極、および第２の電流導通電極を有する第９のサンプリングスイッチ、 前記第１のクロック信号を受けるよう接続された制御電極、前記第３のフィードバック容量の前記第１の電極に接続された第１の電流導通電極、および第２の電流導通電極を有する第１０のサンプリングスイッチ、 前記第１のクロック信号を受けるよう接続された制御電極、前記第３のフィードバック容量の前記第２の電極に接続された第１の電流導通電極、および前記第６のサン
プリングスイッチの前記第２の電流導通電極に接続された第２の電流導通電極を有する第１１のサンプリングスイッチ、 前記フィードバック回路の前記デジタル制御信号ポートに接続された制御電極、前記第７のサンプリングスイッチの前記第２の電流導通電極に接続された第１の電流導通電極、および基準電圧を受けるよう接続された第２の電流導通電極を有する第１のシャントスイッチ、 前記フィードバック回路の前記デジタル制御信号に接続された制御電極、前記第８のサンプリングスイッチの前記第２の電流導通電極に接続された第１の電流導通電極、および前記基準電圧を受けるよう接続された第２の電流導通電極を有する第２のシャントスイッチ、 前記フィードバック回路の前記デジタル制御信号ポートに接続された制御電極、前記第９のサンプリングスイッチの前記第２の電流導通電極に接続された第１の電流導通電極、および前記基準電圧を受けるよう接続された第２の電流導通電極を有する第３のシャントスイッチ、 前記フィードバック回路の前記デジタル制御信号ポートに接続された制御電極、前記第１０のサンプリングスイッチの前記第２の電流導通電極に接続された第１の電流導通電極、および前記基準電圧を受けるよう接続された第２の電流導通電極を有する第４のシャントスイッチ、 前記フィードバック回路の前記デジタル制御信号ポートに接続された制御電極、前記第１のシャントスイッチの前記第１の電流導通電極に接続された第１の電流導通電極、および前記フィードバック回路の前記第１の出力に接続された第２の電流導通電極を有する第１のフィードバックスイッチ、 前記フィードバック回路の前記デジタル制御信号ポートに接続された制御電極、前記第２のシャントスイッチの前記第１の電流導通電極に接続された第１の電流導通電極、および前記フィードバック回路の前記第２の出力に接続された第２の電流導通電極を有する第２のフィードバックスイッチ、 前記フィードバック回路の前記デジタル制御信号ポートに接続された制御電極、前記第３のシャントスイッチの前記第１の電流導通電極に接続された第１の電流導通電極、および前記フィードバック回路の前記第１の出力に接続された第２の電流導通電極を有する第３のフィードバックスイッチ、 前記フィードバック回路の前記デジタル制御信号ポートに接続された制御電極、前記第４のシャントスイッチの前記第１の電流導通電極に接続された第１の電流導通電極、および前記フィードバック回路の前記第２の出力に接続された第２の電流導通電極を有する第４のフィードバックスイッチ、 前記第２のクロック信号を受けるよう接続された制御電極、前記第１のフィードバック容量の前記第２の電極に接続された第１の電流導通電極、および前記第２のフィードバック容量の前記第１の電極に接続された第２の電流導通電極を有する第５の積分スイッチ、 前記第２のクロック信号を受けるよう接続された制御電極、前記第２のフィードバック容量の前記第２の電極に接続された第１の電流導通電極、および前記第３のフィードバック容量の前記第１の電極に接続された第２の電流導通電極を有する第６の積分スイッチ、そして 前記第２のクロック信号を受けるよう接続された制御電極、前記第３のフィードバック容量の���記第２の電極に接続された第１の電流導通電極、および前記第４の積分スイッチの前記第２の電流導通電極に接続された第２の電流導通電極を有する第７の積分スイッチ、 を具備する請求項９に記載の回路。